(57)【要約】      （修正有）【課題】照明機能を妨げずに位置情報管理を可能にする照明装置を提供する。【解決手段】照明装置１５０において、複数の光源１５６と、位置信号送信器１５８と、無線通信器１５９と、が一方の面に設けられている基板１５７と、基板１５７の他方の面に設けられている位置信号送信モジュール１６１と、無線通信モジュール１６２と、を備える。【選択図】図６
2020077609.tif 000002
【特許請求の範囲】
【請求項１】
照明装置であって、
光源が一方の面に設けられている基板と、
前記基板の他方の面に設けられている無線通信モジュールと、
を備える照明装置。
【請求項２】
前記無線通信モジュールは、前記光源からの光を遮らない位置に設けられる、請求項１に記載の照明装置。
【請求項３】
前記無線通信モジュールは、電波を受信可能なアンテナを含む、請求項１又は２に記載の照明装置。
【請求項４】
前記無線通信モジュールは、電波を送信可能なアンテナを含む、請求項１から３の何れか一項に記載の照明装置。
【請求項５】
前記無線通信モジュールは、前記基板の最端部の光源と、該照明装置の端部との間に設けられる、請求項１から４の何れか一項に記載の照明装置。
【請求項６】
前記無線通信モジュールは、前記基板よりも鉛直方向下方に設けられる、請求項１から５の何れか一項に記載の照明装置。
【請求項７】
光源が一方の面に設けられている基板と、該基板の他方の面に設けられている無線通信モジュールとを有する照明装置と、
前記無線通信モジュールを用いて前記照明装置から該照明装置の位置情報を受信して前記位置情報と共に識別情報を前記照明装置に送信する無線端末と、
前記照明装置から前記位置情報と前記識別情報とを受信して前記無線端末の位置を管理する管理サーバと、
を備える位置情報管理システム。
【請求項８】
光源が一方の面に設けられている基板と、該基板の他方の面に設けられている無線通信モジュールとを有する照明装置が該照明装置の位置情報を無線端末に送信する送信手順と、
前記無線端末が前記位置情報を受信する受信手順と、
前記無線端末が前記位置情報と共に識別情報を前記照明装置に送信する送信手順と、
前記照明装置が前記識別情報及び前記位置情報を管理サーバに送信する送信手順と、
前記管理サーバが前記位置情報と前記識別情報とを前記識別情報に対応する前記無線端末の情報と共に登録する登録手順と、
を有する位置情報管理方法。
【発明の詳細な説明】
【技術分野】
【０００１】
本発明は、照明装置、位置情報管理システム及び位置情報管理方法に関する。
【背景技術】
【０００２】
GPS等を用いた正確な測位が困難な施設等において、無線端末又は無線端末を有する人又は物品の位置を把握し、管理するために、様々な位置情報管理システムが提案されている。
【０００３】
この様な位置情報管理システムでは、無線端末に位置情報を送信する送信器を例えば部屋の天井等に複数台設置するが、送信器に電源を供給するために新たな電源工事が必要となり、導入コストが高くなる可能性がある。
【０００４】
そこで、特許文献１には、無線端末が、照明装置から発信される固有情報を受信し、該固有情報をサーバに送信することで、無線端末の位置を特定するシステムが開示されている。特許文献１に係るシステムでは、無線端末に固有情報を発信する機能を照明装置に設けることで、照明装置に供給される電源を用いて無線端末との通信が可能になるため、当該システムの導入時に新たに電源工事等を行う必要が無い。
【発明の概要】
【発明が解決しようとする課題】
【０００５】
しかしながら、特許文献１に係るシステムでは、無線端末との間で固有情報を送受信する無線通信モジュールを照明装置に組み込む場合に、配置によっては無線通信モジュールが照明装置の光源から照射される光を妨げる場合がある。
【０００６】
本発明は、このような問題に鑑みてなされたものであり、照明機能を妨げずに位置情報管理を可能にする照明装置を提供することを目的とする。
【課題を解決するための手段】
【０００７】
本発明の一態様の照明装置によれば、光源が一方の面に設けられている基板と、前記基板の他方の面に設けられている無線通信モジュールと、を備える。
【発明の効果】
【０００８】
本発明の実施形態によれば、照明機能を妨げずに位置情報管理を可能にする照明装置を提供できる。
【図面の簡単な説明】
【０００９】
【図１】本発明の一実施形態における位置情報管理システムを表す図である。
【図２】本発明の一実施形態における位置情報管理システムを表す図である。
【図３】本発明の一実施形態における位置情報管理システムを構成するネットワークを表す図である。
【図４】本発明の一実施形態における照明器具の外観構成を例示する図である。
【図５】本発明の一実施形態における照明装置の概略構成を例示する図である。
【図６】本発明の一実施形態における照明装置の構成例を説明する断面概略図（１）である。
【図７】本発明の一実施形態における照明装置の構成例を説明する断面概略図（２）である。
【図８】本発明の一実施形態における照明装置の構成例を説明する断面概略図（３）である。
【図９】本発明の一実施形態における照明器具のハードウェア構成図である。
【図１０】本発明の一実施形態における照明装置の駆動回路の概略ブロック図である。
【図１１】本発明の一実施形態における無線端末のハードウェア構成図である。
【図１２】本発明の一実施形態における管理装置のハードウェア構成図である。
【図１３】本発明の一実施形態における管理サーバのハードウェア構成図である。
【図１４】本発明の一実施形態における照明器具の機能ブロック図である。
【図１５】本発明の一実施形態における無線端末の機能ブロック図である。
【図１６】本発明の一実施形態における管理装置の機能ブロック図である。
【図１７】本発明の一実施形態における管理サーバの機能ブロック図である。
【図１８】本発明の一実施形態における照明装置が保持する情報の例を表す図である。
【図１９】本発明の一実施形態における無線端末が保持する情報の例を表す図である。
【図２０】本発明の一実施形態における無線端末が送信する位置情報のフォーマットの例を表す図である。
【図２１】本発明の一実施形態における管理サーバが保持する情報の例を表す図である。
【図２２】本発明の一実施形態における位置情報管理システムの動作シーケンスを表す図である。
【図２３】本発明の一実施形態における管理サーバの検索画面の例を表す図である。
【図２４】本発明の一実施形態における管理サーバの検索結果画面の例を表す図である。
【発明を実施するための形態】
【００１０】
以下、本発明の実施形態を図面に基づいて説明する。
【００１１】
１．システム
２．ハードウェア構成例
３．機能
４．動作シーケンス
（１．システム）
図１は、本発明の実施形態に係る位置情報管理システム全体の概略図である。
【００１２】
図１に示されているように、本実施形態の位置情報管理システム１は、屋内αの天井β側の複数の配信装置（３ａ，３ｂ，３ｃ，３ｄ，３ｅ，３ｆ，３ｇ，３ｈ）と、屋内αの床側の複数の通信端末（５ａ，５ｂ，５ｃ，５ｄ，５ｅ，５ｆ，５ｇ，５ｈ）と、位置管理システム９とによって構築されている。
【００１３】
また、各配信装置（３ａ，３ｂ，３ｃ，３ｄ，３ｅ，３ｆ，３ｇ，３ｈ）は、それぞれが設置される位置（それぞれが設置された後は「設置された位置」を意味する）を示す位置情報（Ｘａ，Ｘｂ，Ｘｃ，Ｘｄ，Ｘｅ，Ｘｆ，Ｘｇ，Ｘｈ）を記憶しており、屋内αの床に向けて各位置情報（Ｘａ，Ｘｂ，Ｘｃ，Ｘｄ，Ｘｅ，Ｘｆ，Ｘｇ，Ｘｈ）を配信する。更に、各配信装置（３ａ，３ｂ，３ｃ，３ｄ，３ｅ，３ｆ，３ｇ，３ｈ）は、それぞれを識別するための装置識別情報（Ｂａ，Ｂｂ，Ｂｃ，Ｂｄ，Ｂｅ，Ｂｆ，Ｂｇ，Ｂｈ）を記憶している。
【００１４】
なお、以下、複数の配信装置のうち任意の配信装置を「配信装置３」と示し、複数の通信端末のうち任意の通信端末を「通信端末５」と示す。また、以下の説明において「位置情報」は、複数の位置情報のうち任意の位置情報を示し、「装置識別情報」は、複数の装置識別情報のうち任意の装置識別情報を示す。装置識別情報としては、ＭＡＣ(Media Access Control)アドレスが挙げられる。
【００１５】
一方、各通信端末（５ａ，５ｂ，５ｃ，５ｄ，５ｅ，５ｆ，５ｇ，５ｈ）は、それぞれを識別するための端末識別情報（Ａａ，Ａｂ，Ａｃ，Ａｄ，Ａｅ，Ａｆ，Ａｇ，Ａｈ）を記憶している。なお、以下の説明において「端末識別情報」は、複数の端末識別情報のうち任意の端末識別情報を示す。端末識別情報としては、ＭＡＣアドレスが挙げられる。各通信端末５は、配信装置３から位置情報を受信すると、自己の端末識別情報と共に位置情報を配信装置３に対して送信する。
【００１６】
また、各配信装置３は、それぞれ屋内αの天井βに設置された電気機器（２ａ，２ｂ，２ｃ，２ｄ，２ｅ，２ｆ，２ｇ，２ｈ）に内蔵されるか又はこれらの各外部に取り付けられている。なお、以下、複数の電気機器のうち任意の電気機器を「電気機器２」と示す。
【００１７】
各電気機器２は、各配信装置３に対して電力を供給する。このうち、電気機器２ａは、蛍光灯型ＬＥＤ(Light Emitting Diode)照明器具である。電気機器２ｂは、換気扇である。電気機器２ｃは、無線ＬＡＮ(Local Area Network)のアクセスポイントである。電気機器２ｄは、スピーカである。電気機器２ｅは、非常灯である。電気機器２ｆは、火災報知機又は煙報知器である。電気機器２ｇは、監視カメラである。電気機器２ｈは、エアコンである。
【００１８】
なお、各電気機器２は、各配信装置３に電力を供給することができれば、図１に示されている物以外であってもよい。例えば、上記電気機器２の例以外に、ＬＥＤではない一般の蛍光灯又は白熱灯の照明器具、外部からの人の侵入を検知する防犯センサ等が挙げられる。
【００１９】
一方、各通信端末５は、それぞれ位置管理システム９によって位置を管理される管理対象物（４ａ，４ｂ，４ｃ，４ｄ，４ｅ）の外部に取り付けられている。
【００２０】
このうち、管理対象物４ａは、鞄である。管理対象物４ｂは、テーブルである。管理対象物４ｃは、プロジェクタである。管理対象物４ｄは、テレビ会議端末である。管理対象物４ｅは、コピー機能を含んだＭＦＰ(Multi Function Product)である。管理対象物４ｆは、ほうきである。
【００２１】
また、管理対象物４ｇはパソコンであり、パソコン内に通信端末５の機能が搭載されているため、この場合は通信端末５ｇでもある。更に、管理対象物４ｈはスマートフォン等の携帯電話機であり、携帯電話機内に通信端末５の機能が搭載されているため、この場合は通信端末５ｈでもある。なお、以下、複数の管理対象物のうち任意の管理対象物を「管理対象物４」と示す。
【００２２】
また、各管理対象物４は、図１に示されている物以外であってもよい。例えば、管理対象物４の他の例として、ファクシミリ装置、スキャナ、プリンタ、コピー機、電子黒板、空気清浄機、シュレッダ、自動販売機、腕時計、カメラ、ゲーム機、車椅子、及び内視鏡等の医療機器が挙げられる。
【００２３】
次に、位置情報管理システム１を利用した位置情報の管理方法の一例の概略を説明する。本実施形態では、例えば、屋内αの天井βに設置されている配信装置３ａは、無線通信により、この配信装置３ａが設置された位置を示す位置情報Ｘａを配信する。これにより、通信端末５ａが位置情報Ｘａを受信する。次に、通信端末５ａは、無線通信により、配信装置３ａに、通信端末５ａを識別するための端末識別情報Ａａ及び位置情報Ｘａを送信する。この場合、通信端末５ａは、配信装置３ａから受け取った位置情報Ｘａを、配信装置３ａに送り返すことになる。
【００２４】
これにより、配信装置３ａは、端末識別情報Ａａ及び位置情報Ｘａを受信する。次に、配信装置３ａは、無線通信により、ゲートウェイ７に端末識別情報Ａａ及び位置情報Ｘａを送信する。そして、ゲートウェイ７は、ＬＡＮ８ｅを介して位置管理システム９へ端末識別情報Ａａ及び位置情報Ｘａを送信する。位置管理システム９では、端末識別情報Ａａ及び位置情報Ｘａを管理することで、位置管理システム９の管理者は、通信端末５ａ（管理対象物４ａ）の屋内αにおける位置を把握することができる。
【００２５】
また、通信端末５のうち特に通信端末（５ｇ，５ｈ）は、図１に示されているように、屋外γでは、GPS(Global Positioning System)衛星９９９から無線信号（時刻情報、軌道情報等）を受信して、地球上の位置を算出することができる。そして、通信端末（５ｇ，５ｈ）は、３Ｇ(3rd Generation)、４Ｇ(4th generation)等の移動通信システムを利用して、基地局８ａ、移動体通信網８ｂ、ゲートウェイ８ｃ、インターネット８ｄ、及びＬＡＮ８ｅを介して、位置管理システム９へ、通信端末（５ｇ，５ｈ）をそれぞれ識別するための端末識別情報（Ａｇ，Ａｈ）及び位置情報（Ｘｇ，Ｘｈ）を送信することもできる。
【００２６】
なお、基地局８ａ、移動体通信網８ｂ、ゲートウェイ８ｃ、インターネット８ｄ、ＬＡＮ８ｅ、及びゲートウェイ７によって、通信ネットワーク８が構築されている。また、地球上の緯度と経度が測位されるためには、少なくとも３つのGPS衛星が必要であるが（高度を含めると４つ必要）、簡単に説明するため、図１では１つのGPS衛星を示している。
【００２７】
図２は本発明の一実施形態における位置情報管理システム１である。図２は、配信装置３を有する電気機器２としての照明器具１００、１０２、１０４、１０６、通信端末５としての無線端末１２０、１２２、１２４、管理装置１４０、管理サーバ１６０、照明器具と無線端末と管理装置とから構成されるネットワーク１８０及びネットワーク１９０を有する。ここで、ネットワーク１８０は、管理装置１４０によって管理される無線ネットワークである。図３は、図２において無線ネットワークを構成する照明器具１００、１０２、１０４、１０６、無線端末１２０、１２２、１２４、管理装置１４０を抜き出して示したものである。
【００２８】
照明器具１００、１０２、１０４、１０６は、例えば部屋の天井等に取り付けられ、取り付けられた位置に係る、経緯情報、建物の階数及び棟番号のような位置情報を連続的又は断続的に無線送信する。照明器具１００、１０２、１０４、１０６は、それぞれが保持する位置情報を、無線信号により所定の範囲に送信する。所定の範囲は、用いられる無線信号の信号強度によって定められる。照明器具は、位置の管理対象となる領域をカバーするように配置され、それぞれの領域が重複しないように構成される。あるいは、重複する場合であっても、位置情報を受信する側において、受信電波の強度に基づいて、何れか一つの照明器具が決定できるよう構成される。図２の例では、それぞれの照明器具の下方に示される円錐型の点線が、所定の範囲を表している。位置情報を送信する通信方式として、例えば地上補完信号（Indoor  Messaging  System;IMES）を用いることができる。
【００２９】
無線端末１２０、１２２、１２４は、照明器具１００、１０２、１０４、１０６のうち、最寄の照明器具が送信する無線信号を受信することができる。図２の例では、それぞれの無線端末は、位置を管理する対象である直方体の管理対象物に付されている。無線端末１２０、１２２、１２４は、自らも電波を送信可能な、例えばアクティブタグのような端末である。以下、無線端末１２０について説明する。
【００３０】
無線端末１２０は、照明器具１００からの無線信号を受信できる範囲にあり、照明器具１００の位置情報を受信する。照明器具１００の位置情報の受信は、例えばIMESを用いて行われる。無線端末１２０は、受信した位置情報と共に、例えばネットワークアドレスのような自らの識別情報を含む情報を照明器具１００へ送信する。該送信は、例えばIEEE802.15.4及びZigBee（登録商標）のような近距離無線通信によるネットワーク１８０を通じて行われる。この場合には、無線端末１２０の識別情報として、IEEE802.15.4の短縮アドレスまたはIEEE拡張（MAC）アドレスを用いることができる。照明器具１００へ送信された識別情報と位置情報は、次に、隣接する照明器具１０２を経由して、管理装置１４０に送信される。なお、無線端末１２０における送受信の動作は、当該無線端末１２０において予め定められたタイミングか、あるいは、当該無線端末１２０の備える加速度センサによる加速度の変化が検出されたタイミングで行われる。
【００３１】
管理装置１４０は、ネットワーク１８０とネットワーク１９０とを相互に接続し、ネットワーク１８０側から送信されたデータをネットワーク１９０にブリッジする。管理装置１４０は、例えば建物のフロア毎、または壁などで仕切られた部屋毎に設置される。ネットワーク１８０がIEEE802.15.4及びZigBee（登録商標）によるPAN（Personal  Area  Network）であり、ネットワーク１９０がIEEE802.3規格に基づくLANである場合には、それらの間での通信方式の変換を行う。また、無線端末１２０の識別情報がIEEE802.15.4の短縮アドレスで表されている場合には、PAN構成時の情報に基づきIEEE拡張アドレスに変換し、管理サーバ１６０に送信する。
【００３２】
管理サーバ１６０は、管理装置１４０を経由して受信された識別情報と位置情報とを、受信日時と共に記録し、照明器具の位置を管理する。管理サーバ１６０では、無線端末に係る管理対象物が予め記録されている。よって、これらの情報を用いて、管理対象物の所在を探索することができる。
【００３３】
ネットワーク１８０は、それぞれの照明器具１００、１０２、１０４、１０６と、無線端末１２０、１２２、１２４と、管理装置１４０とを接続する、例えばIEEE802.15.4及びZigBee（登録商標）規格によって構成されるPANである。PANがIEEE802.15.4及びZigBee（登録商標）規格で構成される場合は、無線端末、照明器具、管理装置は、それぞれZigBee（登録商標）規格で定められるエンドデバイス機能、ルータ機能及びコーディネータ機能を有する。そして、それぞれの照明器具及び無線端末は、起動時に管理装置の管理下に入り、PANを構成し、管理装置への最小経路が決定される。
【００３４】
ネットワーク１９０は、管理装置１４０と管理サーバ１６０とを接続するネットワークであり、例えばIEEE802.3規格で定められるLANである。
【００３５】
上記の通り、本発明の一実施形態における位置情報管理システム１において、無線端末は、最寄の照明器具と通信できるだけの電力を用いて、識別情報と位置情報とを管理サーバへ送信することができる。また、無線端末及び管理サーバとの通信機能を照明器具に設けているため、通信機能に必要となる電源を供給するための新たなインフラの敷設が不要であり、導入コストを低減することができる。
【００３６】
なお、照明器具の位置情報は、ネットワーク１８０を通じて提供されてもよい。これにより、IMESのような位置情報を送信するための送信手段が不要となる。
【００３７】
また、無線端末は、位置情報を送信した照明器具よりさらに近傍に管理装置が存在する場合には、識別情報と位置情報とを管理装置１４０に送信してもよい。これにより、最短経路で識別情報と位置情報が管理サーバに送信できる。
【００３８】
また、管理サーバに、管理装置の機能を統合してもよい。これにより、個別の管理装置が不要となる。
【００３９】
また、無線端末は、スマートフォン、PDA、PC又はスマートメータのような、アクティブタグと同等の機能を有する無線端末であってもよい。これにより、タグを付することなく、既存の無線端末の位置情報の管理が可能となる。
【００４０】
また、上述の位置情報に加えて、例えば部屋の中の区画を表す情報のような、より細かな位置を特定する情報を含んでもよい。これにより、より細かな位置管理が可能となる。
【００４１】
また、位置管理対象が人であってもよい。これにより、当該システム１によって人の所在を管理することができる。
【００４２】
また、ネットワーク１８０は、例えばBluetooth（登録商標）  LE、ANT、Z-Wave等の近距離無線通信を用いて構成されてもよい。これにより、多様な無線端末の位置情報を管理することが可能となる。
【００４３】
また、ネットワーク１９０は、例えばインターネットのような、複数の種類のネットワークを含んでもよい。これにより、ネットワーク１８０と管理サーバ１６０との間の物理的な位置に関係なく、無線端末の位置情報を管理することが可能となる。
（２．ハードウェア構成例）
次に、位置情報管理システム１に含まれる照明器具１００、無線端末１２０、管理装置１４０、管理サーバ１６０のハードウェア構成について説明する。
【００４４】
図４は、本発明の一実施形態における照明器具１００の外観構成を例示する図である。なお、以下の説明において、互いに直交する３つの方向をそれぞれＸ方向（照明装置１５０の長手方向）、Ｙ方向（照明装置１５０の短手方向）、Ｚ方向（鉛直方向）とする。
【００４５】
図４に示す様に、照明装置１５０は、直管型のランプであり、照明器具本体１３０に取り付けられる。
【００４６】
照明器具本体１３０は、例えば部屋の天井等に設けられる。照明器具本体１３０は、天井等に取り付けられる本体１３５、照明装置１５０の端部がそれぞれ装着される第１ソケット１３１及び第２ソケット１３３を有する。第１ソケット１３１は、照明装置１５０に給電する給電端子１３２を有する。また、第２ソケット１３３は、照明装置１５０に給電する給電端子１３４を有する。照明器具本体１３０は、第１ソケット１３１及び第２ソケット１３３に両端部が装着される照明装置１５０に、内部に設けられている電源供給部から給電端子１３２，１３４を介して電源を供給する。
【００４７】
照明装置１５０は、透光性カバー１５１、両端部に設けられる口金１５２，１５４、接続端子１５３，１５５、内部に不図示の光源を有する。透光性カバー１５１は、例えばアクリル樹脂等の樹脂材料で形成され、内部の光源を覆う様に設けられる。口金１５２，１５４は、照明器具本体１３０の第１ソケット１３１又は第２ソケット１３３にそれぞれ装着される。接続端子１５３，１５５は、照明装置１５０が照明器具本体１３０に取り付けられた時に、照明器具本体１３０の給電端子１３２，１３４に接続して電力の供給を受ける。照明装置１５０の内部に設けられている光源は、接続端子１５３，１５５から供給される電力により発光し、透光性カバー１５１を介して外部に光を照射する。
【００４８】
図５は、本発明の一実施形態における照明装置１５０の概略構成を例示する図である。照明装置１５０は、発光モジュールの一例として、LED素子１５６が実装された基板１５７を有し、LED素子１５６から外部に光を照射する。基板１５７には、一方の面に複数のLED素子１５６が照明装置１５０の長手方向（Ｘ方向）に沿って配列されている。基板１５７は、照明装置１５０が照明器具本体１３０に取り付けられた時に、LED素子１５６が実装された面が例えば本体１３５から室内に向く様に照明器具本体１３０に取り付けられる。なお、光源としては、例えばLED素子やEL素子等の半導体発光素子を用いることができる。また、基板１５７へのLED素子１５６の配列、数等は照明装置１５０の長さや径等に応じて適宜設定できる。
【００４９】
また、照明装置１５０の内部には、位置情報送信部の一例としての位置信号送信器１５８と、無線通信部の一例としての無線通信器１５９が設けられている。位置信号送信器１５８は、例えばIMESのような測位信号を送出するアンテナを含む装置であり、当該照明装置１５０等の所定の位置情報を表す位置信号を無線端末に送信する。無線通信器１５９は、例えばIEEE802.15.4規格に適合する電波を送受信可能なアンテナを含む装置である。無線通信器１５９は、位置信号を受信した無線端末から、当該無線端末の識別情報と位置情報とを受信し、受信した識別情報と位置情報とを、無線端末の位置を管理する管理サーバへ送信する。
【００５０】
図６は、本発明の一実施形態における照明装置１５０の構成例を説明する図である。照明装置１５０は、上記した様に、内部に複数のLED素子１５６が配列された基板１５７、位置信号送信器１５８、無線通信器１５９、さらに、位置信号送信モジュール１６１、無線通信モジュール１６２を有する。位置信号送信モジュール１６１は、例えば位置信号送信器１５８による位置信号の送信を制御する送信制御部として機能する回路を有する基板である。無線通信モジュール１６２は、例えば無線通信器１５９と無線端末又は管理サーバとの間の通信を制御する無線通信制御部として機能する回路を有する基板である。位置信号送信モジュール１６１及び無線通信モジュール１６２は、LED素子１５６から照射される光を遮らない様に、基板１５７のLED素子１５６が設けられている面とは反対面側に設けられている。
【００５１】
ここで、位置信号送信器１５８は、照明装置１５０の長手方向（Ｘ方向）において、基板１５７の最端部のLED素子１５６ａと口金１５４との間の領域Ａ１に設けられる。また、位置信号送信器１５８は、基板１５７の最端部のLED素子１５６ｂと口金１５２との間の領域Ａ２に設けても良い。位置信号送信器１５８は、領域Ａ１又はＡ２の何れかに設けることで、LED素子１５６が照射する光を遮ることなく、位置信号を無線端末に送信できる。位置信号送信器１５８は、図６に示す様に、例えば位置信号送信モジュール１６１の基板上に設けることができる。また、位置信号送信器１５８は、領域Ａ１又はＡ２の範囲内に設ければ良く、例えば図７に示す様に、位置信号送信モジュール１６１上に設けなくても良い。この場合には、位置信号送信器１５８は、照明装置１５０内において、基板１５７よりもＺ方向下方の透光性カバー１５１付近に設けることが好ましい。あるいは、図８に示す様に、位置信号送信器１５８を、例えば透光性カバー１５１の一部と一体で構成される金属部材１６３の基板１５７側の面の端部に設けても良い。位置信号送信器１５８は、金属部材１６３をアンテナのグランドとして利用できる。また、位置信号送信器１５８は、LED素子１５６の発光色又は透光性カバー１５１と同じ色で表面が着色されていることが好ましい。
【００５２】
無線通信器１５９は、位置信号送信器１５８と同様に領域Ａ１又はＡ２の何れかに設けられる。無線通信器１５９は、領域Ａ１又はＡ２に設けられることで、LED素子１５６から照射される光を遮ることなく、無線端末及び管理サーバとの間で位置情報及び識別情報を通信できる。なお、位置信号送信器１５８と無線通信器１５９とは、領域Ａ１又はＡ２の何れか一方の同じ領域に設置しても良く、反対側の領域にそれぞれ設置しても良い。また、無線通信器１５９は、LED素子１５６の発光色又は透光性カバー１５１と同じ色で表面が着色されていることが好ましい。
【００５３】
図９は、本発明の一実施形態における照明器具１００のハードウェア構成である。照明装置１５０は、ＣＰＵ２００、ＲＡＭ２０２、ＲＯＭ２０４、位置信号送信制御部２０６、位置信号送信部２０８、無線通信制御部２１０、無線通信部２１２、電圧変換部２１４、発光部２１５、電源制御部２１６、バス２１７を有する。
【００５４】
ＣＰＵ２００は、当該照明装置１５０における通信等の動作制御を行うプログラムを実行する。ＲＡＭ２０２は、ＣＰＵ２００のワークエリア等を構成する。ＲＯＭ２０４は、ＣＰＵ２００が実行するプログラムに加えて、当該照明器具１００の位置情報を記憶する。位置信号送信制御部２０６は、位置信号送信部２０８を介して当該照明器具１００の位置情報を表す測位信号を送信するための処理を実行する。位置信号送信部２０８は、照明装置１５０が備える位置信号送信器１５８である。無線通信制御部２１０は、無線通信部２１２を介して無線通信処理を実行する。無線通信部２１２は、照明装置１５０が備える無線通信器１５９である。電圧変換部２１４は、例えばDC/DCコンバータであり、電源制御部２１６から供給される電源の電圧を、位置信号送信部２０８、無線通信器２１２を動作させるための電圧に変換する。発光部２１５は、図５に示す照明装置１５０のLED素子１５６が設けられた基板１５７である。また電源制御部２１６は、例えば平滑回路及び電流監視回路であり、供給される電源を、発光部２１５を動作させるのに適したものに変換する。バス２１７は、上記各部を電気的に接続する。
【００５５】
上記構成により、本発明の一実施形態における照明器具１００の照明装置１５０は、無線端末１２０に対して位置情報を送信し、無線端末１２０から識別情報と位置情報を受信し、これらの情報を管理装置を介して管理サーバへ送信することができる。なお、照明器具１００は、例えば非常口等に設けられる非常灯であっても良い。また、上述したように、位置情報を無線通信制御部２１０と無線通信部２１２によって送信する場合には、位置信号送信制御部２０６と位置信号送信器２０８は不要となる。
【００５６】
また、図１０は、本発明の一実施形態における照明装置１５０の駆動回路の概略ブロック図である。図１０に示す様に、照明装置１５０の駆動回路は、第１電源入力部２９０、第２電源入力部２９４、駆動部２９８を有する。
【００５７】
第１電源入力部２９０は、接続端子１５３に接続し、照明器具本体１３０のソケット１３１の給電端子１３２から安定器を介して電源が供給され、電源のノイズを除去して平滑化した上で直流化して駆動部２９８に直流電源を供給する。第２電源入力部２９４は、接続端子１５５に接続し、照明器具本体１３０のソケット１３３の給電端子１３４から安定器を介して電源が供給され、電源のノイズを除去して平滑化した上で直流化して駆動部２９８に直流電源を供給する。照明装置１５０は、第１電源入力部２９０と第２電源入力部２９４の何れか一方の電源入力部から電源を供給されることができ、両方の電源入力部が同時に電源を供給されることもできる。
【００５８】
第１電源入力部２９０及び第２電源入力部２９４は、それぞれ保護部２９１，２９５、ノイズ除去部２９２，２９６、平滑部２９３，２９７を有する。保護部２９１，２９５は、異常電源の入力を防止することで、駆動部２９８及び発光部２１５を保護する。ノイズ除去部２９２，２９６は、供給される電源に外部から流入されるサージ及びノイズを除去して出力する。平滑部２９３，２９６は、ノイズ除去部２９２，２９６から入力される電源を平滑化し直流化して駆動部２９８に供給する。
【００５９】
駆動部２９８は、平滑部２９３，２９７の出力電源を昇圧又は降圧し、常に一定の大きさの電流を発光部２１５に供給する。
【００６０】
照明装置１５０は、例えば上記した構成により、接続端子１５３，１５５の何れか一方から電源が入力された場合にも、他方から電源が流出しないため、接触による電気事故を防止し、特別な電源工事を必要とせずに安全に取り付けることができる。また、入力される電源からノイズ等を遮断することで発光部２１５を保護し、安定した照明機能を提供できる。
【００６１】
図１１は、本発明の一実施形態における無線端末１２０のハードウェア構成を表す。通信端末１２０は、ＣＰＵ２２０、ＲＡＭ２２２、ＲＯＭ２２４、位置信号受信制御部２２６、位置信号受信部２２８、無線通信制御部２３０、無線通信部２３２、加速度検出制御部２３４、加速度検出部２３６及びバス２３８を有する。
【００６２】
ＣＰＵ２２０は、当該無線端末１２０の動作制御を行うプログラムを実行する。ＲＡＭ２２２は、ＣＰＵ２２０のワークエリア等を構成する。ＲＯＭ２２４は、ＣＰＵ２２０が実行するプログラムに加えて、当該無線端末１２０の識別情報や、照明器具１００から受信した位置情報を記憶する。位置信号受信制御部２２６は、位置信号受信部２２８を介して、位置情報を表す測位信号を受信するための処理を実行する。位置信号受信部２２８は、例えばIMESのような測位信号を受信するアンテナを含む装置である。無線通信制御部２３０は、無線通信部２３２を介して無線通信処理を実行する。無線通信部２３２は、例えばIEEE802.15.4規格に適合する電波を送受信可能なアンテナを含む装置である。加速度検出制御部２３４は、加速度検出部２３６を介して加速度の変化を検出する。加速度検出部２３６は、例えば加速度センサ又は慣性力や磁気を用いたモーションセンサである。バス２３８は、上記各部を電気的に接続する。
【００６３】
上記構成により、本発明の一実施形態における無線端末１２０は、照明器具１００から位置情報を受信し、前記位置情報と共に自らの識別情報を照明器具１００へ送信することができる。特に、無線端末が動かされたタイミングで送信又は受信の動作を行うことにより、効率的に識別情報及び位置情報を送信することができる。
【００６４】
なお、無線端末１２０がスマートフォンやＰＣのような情報端末である場合には、ユーザからの入力を受け付ける、例えばタッチパネル、ダイヤルキー、キーボード、マウスのような入力装置及び対応する入力制御部を備えてもよい。さらに、スクリーンのような表示装置及び対応する表示制御部を備えてもよい。
【００６５】
また、無線端末１２０がGPSアンテナ及び対応する制御部を備える場合には、前記アンテナを用いてIMESによる測位信号を受信でき、ソフトウェアの改修のみによって当該位置情報管理システム１に対応させることができる。
【００６６】
また、加速度検出制御部２３４及び加速度検出部２３６は任意の構成要素である。加速度検出制御部２３４及び加速度検出部２３６を備えない場合には、当該無線端末１２０の送信又は受信の動作は、予め定められた間隔又は時刻においてなされる。
【００６７】
また、上述したように、位置情報が無線通信制御部２３０と無線通信部２３２によって受信される場合には、位置信号受信制御部２２６と位置信号受信部２２８は不要となる。
【００６８】
図１２は、本発明の一実施形態における管理装置１４０のハードウェア構成を表す。管理装置１４０は、ＣＰＵ２４０、ＲＡＭ２４２、ＲＯＭ２４４、無線通信制御部２４６、無線通信部２４８、有線通信制御部２５０、有線通信部２５２及びバス２５４を有する。
【００６９】
ＣＰＵ２４０は、当該管理装置１４０の動作制御を行うプログラムを実行する。ＲＡＭ２４２は、ＣＰＵ２４０のワークエリア等を構成する。ＲＯＭ２４４は、ＣＰＵ２４０が実行するプログラムや該プログラムが使用するデータを記憶する。無線通信制御部２４６は、無線通信部２４８を介して無線通信処理を実行する。無線通信部２４８は、例えばIEEE802.15.4規格に適合する電波を送受信可能なアンテナを含む装置である。有線通信制御部２５０は、有線通信部２５２を介して有線による通信処理を実行する。有線通信部２５２は、例えばIEEE802.3規格に適合するネットワークインターフェースを有する装置である。バス２５４は、上記各部を電気的に接続する。
【００７０】
上記構成により、本発明の一実施形態における管理装置１４０は、照明器具１００及び無線端末１２０を含むネットワーク１８０からの信号を、管理サーバ１６０を含むネットワーク１９０へと変換することができる。また、PANを構成するネットワーク１８０がZigBee（登録商標）である場合には、PANに参加するデバイスを管理するコーディネータの機能を有することができる。
【００７１】
図１３は、本発明の一実施形態における管理サーバ１６０のハードウェア構成を表す。管理サーバ１６０は、ＣＰＵ２６０、ＲＡＭ２６２、ＲＯＭ２６４、ＨＤＤ２６６、通信制御部２６８、通信部２７０、表示制御部２７２、表示部２７４、入力制御部２７６、入力部２７８及びバス２８０を有する。
【００７２】
ＣＰＵ２６０は、当該管理サーバ１６０の動作制御を行うプログラムを実行する。ＲＡＭ２６２は、ＣＰＵ２６０のワークエリア等を構成する。ＲＯＭ２６４は、ＣＰＵ２６０が実行するプログラムや該プログラムが使用するデータを記憶する。ＨＤＤ２６６は、当該位置情報管理システム１で用いられる無線端末１２０の位置を管理するための情報を記憶する。通信制御部２６８は、通信部２７０を介して通信処理を実行する。通信部２７０は、例えばIEEE802.3規格に適合するネットワークインターフェースを有する装置である。表示制御部２７２は、当該管理サーバ１６０上で実行される、位置管理に係るプログラムの処理内容に合わせて、表示部２７４に表示される内容を制御する。表示部２７４は、例えば液晶ディスプレイやＣＲＴディスプレイのようなディスプレイが含まれる。入力制御部２７６は、ユーザからの入力を受け付ける、キーボード、マウス等の入力部２７８からの信号を処理する。バス２８０は、上記各部を電気的に接続する。
【００７３】
上記構成により、本発明の一実施形態における管理サーバ１６０は、無線端末１２０の位置を管理し、該無線端末１２０の所在を探索することができる。
【００７４】
なお、ＨＤＤ２６６は、テープドライブを含むあらゆる記憶装置であってもよく、あるいは、ネットワークを介してアクセス可能なストレージ領域であってもよい。
【００７５】
また、管理サーバ１６０は、上述した管理装置１４０が備える無線通信制御部及び無線通信装置を備え、管理装置１４０に代えて、その処理を行ってもよい。これにより、管理装置１４０を別途設ける必要がなくなる。
（３．機能）
図１４は、本発明の一実施形態における照明器具１００の機能ブロック図を表す。本発明の一実施形態における照明器具１００の照明装置１５０は、記憶手段３００、通信手段３０４及び制御手段３１２を有する。
【００７６】
記憶手段３００は、照明装置１５０の位置情報３０２を記憶する。位置情報３０２を記憶するためのテーブルの例を図１８に示す。図１８は、階数、緯度、経度、棟番号の項目を含む。階数は、照明装置１５０が設置される建物の階数を表す。緯度及び経度は、照明装置１５０の所在する位置の緯度及び経度を表す。棟番号は、照明装置１５０が設置される建物の棟番号を表す。図１８の例では、照明装置１５０は、ある建物のＣ棟の１６階に所在し、緯度が３５．４５９５５５、経度が１３９．３８７１１０の地点に所在する。
【００７７】
通信手段３０４は、位置情報送信手段３０６、端末情報受信手段３０８及び端末情報送信手段３１０を有する。
【００７８】
位置情報送信手段３０６は、経緯情報、建物の階数、棟番号のような情報を含む位置情報３０２を、所定の範囲にある無線端末１２０に対して連続的又は断続的に無線送信する。位置情報３０２は、例えばIMESに規定されるフォーマットを用いて送信される。位置情報送信手段３０６は、例えば照明装置１５０が備える位置信号送信器１５８である。
【００７９】
端末情報受信手段３０８は、無線端末１２０から送信された識別情報と位置情報とを受信する。端末情報送信手段３１０は、無線端末１２０から送信された識別情報と位置情報とを、管理装置１４０を介して管理サーバ１６０へ送信する。ネットワーク１８０がZigBee（登録商標）規格を用いてなされる場合には、前記送信は、当該照明装置１５０が保持するルーティング情報を用いて行われる。端末情報受信手段３０８及び端末情報送信手段３１０は、例えば照明装置１５０が備える無線通信器１５９である。
【００８０】
制御手段３１２は、照明装置１５０の動作を制御する。照明装置１５０が無線端末１２０及び管理装置１４０とZigBee（登録商標）を用いてPANを構成する場合には、照明装置１５０がルータ機能を提供するよう制御する。
【００８１】
上記構成により、本発明の一実施形態における照明器具１００は、位置情報３０２を保持し、位置情報３０２を無線端末１２０に送信し、該無線端末１２０の識別情報と位置情報を受信して、該識別情報を管理装置１４０を通じて管理サーバへ送信することができる。
【００８２】
なお、位置情報３０２は、照明装置１５０の経緯座標、照明装置１５０が配置される建物のフロア情報及び照明装置１５０が配置される建物情報のうち少なくとも１つ以上を含んで構成される。また、位置情報３０２は、建物情報として、照明装置１５０が設置される建物名や、部屋の中の区画を表す情報のような追加の情報を含んでもよい。これにより、より細かな位置管理が可能となる。
【００８３】
図１５は、本発明の一実施形態における無線端末１２０の機能ブロック図を表す。本発明の一実施形態における無線端末１２０は、記憶手段３２０、通信手段３２６、加速度検出手段３３２及び制御手段３３４を有する。
【００８４】
記憶手段３２０は、識別情報３２２と位置情報３２４を有する。識別情報３２２は、当該無線端末１２０のネットワークアドレスのような、当該位置情報管理システム１上で無線端末１２０を特定可能な情報を含む。例えば、ネットワーク１８０がIEEE802.15.4及びZigBee（登録商標）規格に基づく場合には、IEEE802.15.4の短縮アドレス又はIEEE拡張（MAC）アドレスを用いることができる。位置情報３２４は、照明器具１００から送信された位置情報３０２である。位置情報３２４を記憶するためのテーブルの例を図１９に示す。構成は図１８と同様である。
【００８５】
通信手段３２６は、位置情報受信手段３２８と識別情報送信手段３３０を有する。
【００８６】
位置情報受信手段３２８は、照明器具１００から送信された位置情報３０２を受信する。受信された位置情報３０２は、当該無線端末１２０の記憶手段３２０に保持される。
【００８７】
識別情報送信手段３３０は、当該無線端末１２０の識別情報３２２と共に位置情報３２４を照明器具１００に送信する。位置情報３２４は、例えば図２０のようなフォーマットにより照明器具１００に送信される。図２０のフォーマットでは、階数、緯度、経度、棟番号の各フィールドが、それぞれ９ビット、２１ビット、２１ビット、８ビットで表現され、IMES規格によって受信したメッセージの該当フィールドを繋げた形とする。各フィールドの表現形式はIMES規格に準ずる。実際には、このフォーマットに加えて、通信方式によって規定されるヘッダやチェックサム情報が付加されて送信される。通信方式として、例えばIEEE802.15.4及びZigBee（登録商標）規格が用いられる。
【００８８】
加速度検出手段３３２は、当該無線端末１２０の加速度の変化を検出する。加速度の変化は、例えば当該無線端末１２０が移動を開始した時、該移動が停止した時、又は傾きを検出した時等に検出される。検出された加速度の変化は、当該無線端末１２０の送信又は受信の動作のタイミングを決定するために用いられる。なお、当該加速度検出手段３３２は任意の構成要素である。
【００８９】
制御手段３３４は、位置情報受信手段３２８による位置情報の受信のタイミングと、識別情報送信手段３３０による識別情報３２２と位置情報３２４との送信のタイミングを制御する。送受信のタイミングは、加速度検出手段３３２による加速度の変化の検出に基づいて決定される。あるいは、当該無線端末１２０に予め設定された間隔あるいは時刻に基づいて決定されてもよい。また、送信と受信のタイミングは、それぞれ独立して決定されてもよい。さらに、制御手段３３４は、当該無線端末１２０が照明器具１００及び管理装置１４０と共にZigBee（登録商標）によりPANを構成する場合には、当該無線端末１２０がエンドポイント機能を提供するよう制御する。
【００９０】
上記構成により、本発明の一実施形態における無線端末１２０は、照明装置から位置情報を効率的に受信し、該位置情報と共に識別情報通信装置へ効率的に送信することができる。
【００９１】
なお、無線端末１２０がスマートフォンやＰＣのような情報端末である場合には、ユーザからの入力を受け付ける入力手段や、ユーザに情報を提示する表示手段を備えてもよい。これにより、ユーザへの識別情報又は位置情報の提示や、ユーザからの識別情報又は位置情報の入力又は修正が可能となる。
【００９２】
図１６は、本発明の一実施形態における管理装置１４０の機能ブロック図を表す。本発明の一実施形態における管理装置１４０は、通信手段３４０、変換手段３４６及び制御手段３４８を有する。
【００９３】
通信手段３４０は、受信手段３４２と送信手段３４４を有する。受信手段３４２は、ネットワーク１８０に属する照明装置又は無線端末から送信されたデータを受信する。送信手段３４４は、当該管理装置１４０で変換された前記データを、ネットワーク１９０に属する管理サーバ１６０へ送信する。ネットワーク１８０は、例えばIEEE802.15.4及びZigBee（登録商標）規格に基づくPANである。また、ネットワーク１９０は、例えばIEEE802.3規格に基づくLANである。
【００９４】
変換手段３４６は、受信手段３４２がネットワーク１８０から受信したデータを、ネットワーク１９０に適合する形式に変換する。変換されたデータは、送信手段３４４によって、ネットワーク１９０を介して管理サーバ１６０へ送信される。ここで、前記データに含まれる、無線端末１２０の識別情報が、IEEE802.15.4の短縮アドレスで表されている場合には、PAN構成時の情報に基づき、IEEE拡張アドレスに変換される。
【００９５】
制御手段３４８は、当該管理装置１４０の動作を制御する。当該管理装置１４０が照明器具１００と無線端末１２０と共にZigBee（登録商標）規格によりPANを構成する場合には、当該管理装置１４０がコーディネータ機能を提供するよう制御する。
【００９６】
上記構成により、本発明の一実施形態における管理装置１４０は、照明器具１００及び無線端末１２０が属するネットワーク１８０と、管理サーバが属するネットワーク１９０との間の通信をブリッジすることができる。
【００９７】
図１７は、本発明の一実施形態における管理サーバ１６０の機能ブロック図を表す。本発明の一実施形態における管理サーバ１６０は、通信手段３６０、記憶手段３６６、入力手段３７０、表示手段３７２及び制御手段３７４を有する。
【００９８】
通信手段３６０は、受信手段３６２と送信手段３６４を有する。受信手段３６２は、管理装置１４０を通じて無線端末から送信された識別情報と位置情報とを受信する。受信された識別情報と位置情報は、記憶手段３６６に記憶される。送信手段３６４は、外部サーバ等に対して位置情報の提供を求められた場合に、該位置情報を前記外部サーバ等に送信する。
【００９９】
記憶手段３６６は、位置管理情報３６８を有する。位置管理情報３６８は、無線端末１２０から受信した識別情報と位置情報に、受信時刻等の管理情報を付加した情報である。該情報を記憶するテーブルの例を図２１に示す。図２１は、識別情報、機器名、所有部署、緯度、経度、階数、棟、受信日時の項目を有する。識別情報は、当該識別情報を送信した無線端末１２０の、例えばIEEE拡張アドレスのような情報である。緯度、経度、階数、棟は、識別情報と共に受信された位置情報に対応する。受信日時は、管理サーバ１６０が当該情報を受信した日時である。機器名は、当該情報を送信した無線端末１２０が付される管理対象の名前又は無線端末１２０の機器名である。所有部署は、当該情報を送信した無線端末１２０を所有する部署名である。機器名及び所有部署の情報は、予め当該管理サーバ１６０によって、識別情報と関連付けられている。
【０１００】
入力手段３７０は、ユーザが位置情報を探索するために、ユーザからの入力を受け付ける。
【０１０１】
表示手段３７２は、ユーザが位置情報を探索するための検索画面に係るＧＵＩを画面上に表示する。検索画面の例を図２３に示す。図２３に示された「所在検索システム」では、記憶手段３６６に記憶された情報を元に、無線端末に係る所有部署と機器名を画面に一覧表示する。ユーザが、検索したい機器のチェックボックスを入力手段３７０を通じて選択すると、チェックマークが付される。検索したい機器に全てチェックマークを付けた後に「検索実行」ボタンを選択すると、検索が実行され、結果を表示する画面に切り替わる。図２３の例では、ユーザが「営業１課」が所有する「ＵＣＳ  Ｐ３０００」という機器を対象として検索を実行する例を示している。図２４は、その検索結果の画面の例である。「検索実行」ボタンが選択されると、表示手段３７２は、記憶手段３６６に記憶されたデータを元に、「ＵＣＳ  Ｐ３０００」が所在する「A棟4階」のフロア図と、その機器名及び受信日時を表示する。
【０１０２】
制御手段３７４は、当該管理サーバの動作を制御する。
【０１０３】
上記構成により、本発明の一実施形態における管理サーバ１６０は、無線端末の位置を管理し、その所在を検索することができる。特に、無線端末の位置そのものを表す情報そのものを直接受信して管理することができ、位置の探索にかかる計算量を低減することができる。
【０１０４】
なお、管理サーバ１６０は、管理装置１６０の有する変換手段３４６、制御手段３４８及び受信手段３４２と同様の機能を有し、管理装置１６０と同様の機能を有してもよい。これにより、管理装置１６０を個別に設ける必要がなくなる。
【０１０５】
また、管理サーバ１６０によって記憶される位置管理情報３６８は、図２１に示された情報と共に、あるいは該情報に代えて、無線端末が情報を送信した日時、経由した通信装置又は管理装置の識別子、情報の到着までにかかった時間又は電界強度を含む情報を記憶してもよい。これにより、より詳細な条件で位置情報を管理することができる。
【０１０６】
また、管理サーバ１６０は、無線端末の過去の位置情報を記録してもよい。これにより、無線端末の移動を追跡することができる。
（４．動作シーケンス）
図２２は、図２の構成における本発明の一実施形態における位置情報管理システム１の動作シーケンスを表す図である。図２２では、加速度の変化を検知すると位置情報を受信し、識別情報を送信する無線端末１２０と、該無線端末１２０の属する領域に位置情報を送信する照明器具１００と、PAN（IEEE802.15.4及びZigBee（登録商標））とLAN（IEEE802.3）とをブリッジする管理装置１４０と、管理サーバ１６０とで構成される例について説明する。照明器具１００と、無線端末１２０と、管理装置１４０との間のPANは既に確立されているものとする。
【０１０７】
ステップＳ８００において、照明器具１００は、IMES等を用いて位置情報を連続的又は断続的に送信する。
【０１０８】
ステップＳ８０２において、無線端末１２０は、加速度の変化を検知する。
【０１０９】
ステップＳ８０４において、無線端末１２０は、照明器具１００から送信される位置情報を受信する。
【０１１０】
ステップＳ８０６において、無線端末１２０は、受信された位置情報を記憶する。
【０１１１】
ステップＳ８０８において、無線端末１２０は、識別情報と位置情報を照明器具１００へ送信する。
【０１１２】
ステップＳ８１０において、照明器具１００は、無線端末１２０から受信した識別情報と位置情報とを最小経路を通じて管理装置へ送信する。
【０１１３】
ステップＳ８１２において、管理装置１４０は、照明器具１００から受信した識別情報と位置情報を含む、ネットワーク１８０から送信されたデータをネットワーク１９０で適合する形式へと変換する。
【０１１４】
ステップＳ８１４において、管理装置１４０は、ネットワーク１９０に適合する形式に変換された識別情報と位置情報を管理サーバ１６０へ送信する。
【０１１５】
ステップＳ８１６において、管理サーバ１６０は、管理装置から受信した識別情報と位置情報を、識別情報に対応する無線端末の情報と共に登録する。
【０１１６】
以上の手順により、本発明の一実施形態における位置情報管理システム１は、無線端末が最寄の照明装置に対して効率よく識別情報と位置情報とを送信することにより、無線端末の消費電力を抑えることができる。
【０１１７】
なお、既に述べたように、管理サーバ１６０が管理装置１４０の機能を統合して実行してもよい。この場合には、別個の管理装置１４０を設置する必要がなくなる。
【０１１８】
また、無線端末が加速度検出手段３３２を備えていない場合には、ステップＳ８０２は実行されず、ステップＳ８０４における位置情報の受信は、所定の時刻又は所定の間隔で行われ得る。その後の処理は、ステップＳ８０６〜Ｓ８１６と同様である。
【０１１９】
以上で説明した実施形態では、配信装置３を有する電気機器２の一例として、照明装置を用いた場合について例示した。照明装置としては、直管型のＬＥＤ照明に限るものではなく、環型や球型等といったどの様な形状であっても良い。また、照明装置としては、直管型、環型又は球型等の蛍光灯等であっても良い。何れの場合であっても、位置信号送信器１５８、無線通信器１５９は、照明装置における光源からの光を遮らない位置に設けられる。
【０１２０】
また、上記した様に、電気機器２としては、照明装置以外であっても良く、例えば換気扇、スピーカ、非常灯、火災報知機、煙報知器、監視カメラ、エアコンを用いることができる。
【０１２１】
以上、実施形態に係る照明装置及び位置情報管理システムについて説明したが、本発明は上記実施例に限定されるものではなく、本発明の範囲内で種々の変形及び改良が可能である。
【符号の説明】
【０１２２】
１００、１０２、１０４、１０６  照明器具
１２０、１２２、１２４  無線端末
１４０  管理装置
１５０  照明装置
１５２，１５４  口金
１５６  LED素子（光源）
１５８  位置信号送信器（位置情報送信部）
１５９  無線通信器（無線通信部）
１６０  管理サーバ
２０６  位置信号送信制御モジュール（位置情報送信制御モジュール）
２１６  電圧変換部
【先行技術文献】
【特許文献】
【０１２３】
【特許文献１】国際公開第２００５／０８６３７５号
【図１】
2020077609.tif 000003
【図２】
2020077609.tif 000004
【図３】
2020077609.tif 000005
【図４】
2020077609.tif 000006
【図５】
2020077609.tif 000007
【図６】
2020077609.tif 000008
【図７】
2020077609.tif 000009
【図８】
2020077609.tif 000010
【図９】
2020077609.tif 000011
【図１０】
2020077609.tif 000012
【図１１】
2020077609.tif 000013
【図１２】
2020077609.tif 000014
【図１３】
2020077609.tif 000015
【図１４】
2020077609.tif 000016
【図１５】
2020077609.tif 000017
【図１６】
2020077609.tif 000018
【図１７】
2020077609.tif 000019
【図１８】
2020077609.tif 000020
【図１９】
2020077609.tif 000021
【図２０】
2020077609.tif 000022
【図２１】
2020077609.tif 000023
【図２２】
2020077609.tif 000024
【図２３】
2020077609.tif 000025
【図２４】
2020077609.tif 000026